(57)【要約】【課題】狭く限られたスペースに設置可能であるとともに、既存の電力量計の構造を変えることなく且つ様々な大きさの電力量計に対して適用可能な電力量計用通信装置を提供する。【解決手段】使用電力量を計量する電力量計１に接続され、電力量計１により計量された計量データを外部の上位装置に送信する電力量計用通信装置であって、電力量計により計量された計量データを外部に転送する伝送信号入出力部を収納するケース（上ケース５、内ケース６）と、ケースの一端に取り付けられ、電力量計１の外周に巻きつけることによりケースを電力量計１に固定する固定バンド１０とを備える。【選択図】図１
2010271164.tif 000002
【特許請求の範囲】
【請求項１】
使用電力量を計量する電力量計に接続され、前記電力量計により計量された計量データを外部の上位装置に送信する電力量計用通信装置であって、
前記電力量計により計量された計量データを外部に転送する伝送信号入出力部を収納するケースと、
前記ケースの一端に取り付けられ、前記電力量計の外周に巻き付けることにより前記ケースを前記電力量計に固定する固定バンドと、
を備えることを特徴とする電力量計用通信装置。
【請求項２】
前記ケースは、前記電力量計の凹凸に係止して前記固定バンド及び自己のケースを前記電力量計に固定させる係止部を備えることを特徴とする請求項１記載の電力量計用通信装置。
【請求項３】
前記固定バンドは、前記電力量計の外周長に応じて長さ調整を行う調整機構を有することを特徴とする請求項１又は請求項２記載の電力量計用通信装置。
【請求項４】
前記固定バンドは、前記ケースに対して着脱自在に連結していることを特徴とする請求項１乃至請求項３のいずれか１項記載の電力量計用通信装置。
【請求項５】
前記ケースは、前記固定バンドを挿入して自己のケースに連結させるとともに、内部に滑り防止用の凹凸を有する固定バンド挿入部を備えることを特徴とする請求項４記載の電力量計用通信装置。
【発明の詳細な説明】
【技術分野】
【０００１】
本発明は、通信機能付き電力量計から得られた計量データを有線又は無線により外部に転送する電力量計用通信装置に関し、特に、電力量計用通信装置を電力量計に取り付けるための構造に関する。
【背景技術】
【０００２】
従来、各家庭に設けられた電力量計の検針は、検針員が直接目視することにより行われていた。しかしながら、オートロックマンション等の増加により、検針員がメータ設置箇所に立ち入ること自体が困難になっているため、無線又は有線による通信装置を介して遠隔地に設けられた集中管理センタや外部データ読み出し装置に計量データを転送する遠隔検針に移行しつつある。
【０００３】
特許文献１には、無線ユニットに設定される呼出番号等の特定データを自動的に設定して無線ユニットの保守・拡張を自動的に行い、しかも外部からの不正な通信介入を防止して高セキュリティ性を確保する無線ユニット管理システムが記載されている。この無線ユニット管理システムは、電力量計等の無線ユニットを特定して呼び出すための呼出番号を無線ユニット自体に複数保有させることにより、電柱等に設置されたデータ収集ユニットが複数の呼出番号の中から通信利用に適した１つの呼出番号を指定して呼び出すことを可能としたものである。その結果、当該無線ユニット管理システムは、データ収集ユニットからの呼出条件を自由度の高いものとし、無線ユニットの維持管理及び取り扱いに適した呼出番号を選択して通信利用することができる。
【０００４】
電力量計から取得したデータを外部に通信するための通信装置や特許文献１に記載の無線ユニット等は、既存の電力量計が収納された計器ボックス内に設置することが困難であるため、通常は計器ボックスの外部に設置される。ここで、図１２は、従来の電力量計及び電力量計用通信装置の設置状態を示す図である。図１２に示す電力量計１は、計量データを外部に伝送できる通信機能付き電力量計であり、底部のカバー端子部に配電線が接続される配電線用端子が設けられるとともに、電力量計１で計量された計量データを伝送する際に使用される通信用端子４が設けられている。また、端子カバー１９は、電力量計１のカバー端子部の防水性を確保するためのものであり、端子カバー固定用ネジ２０によりカバー端子部に固定されている。また、電力量計１は、外観上の美観を損なわず、耐候性を向上させるために計器ボックス２等の筐体内に設置される場合が多い。
【０００５】
図１２に示す従来の電力量計用通信装置３は、電力量計１で計量された計量データを伝送するための通信ケーブル４により電力量計１と接続されている。この通信ケーブル４は、電力量計１側の先端に棒状の圧着端子が取り付けられており、電力量計１の通信用端子４に直接差し込んで接続されている。
【先行技術文献】
【特許文献】
【０００６】
【特許文献１】特開平１１−２９８９７４号公報
【発明の概要】
【発明が解決しようとする課題】
【０００７】
従来から、耐候性の向上や外観上の美観を損なわないといった理由により、電力量計は、図１２に示すような計器ボックス２や化粧ボックス、取り付け板等の筐体に設置される場合が多い。これらの筐体は、電力量計よりも多少大きい程度であるため、電力量計１とともに電力量計用通信装置３を内部に収納することは困難である。したがって、電力量計用通信装置３は、図１２に示すように、通常は計器ボックス２の外に設置されている。
【０００８】
しかしながら、既存の電力量計に対して新たに電力量計用通信装置３を設置する場合に、必ずしも設置スペースが確保されているとはかぎらない。図１２に示すような従来の電力量計用通信装置３は、電力量計１を収納する計器ボックス２の設置スペース以外に自己の電力量計用通信装置３を設置するためのスペースを確保する必要があり、既存の電力量計設置場所の近くにそのようなスペースが無い場合には、取り付けが困難となってしまう。
【０００９】
以上の事情により、計器ボックス２等の筐体内に設置可能な電力量計用通信装置が望まれるが、そのような電力量計用通信装置を実現するに際し、いくつかの課題がある。まず、電力量計は、需要家の契約、定格等に応じて大きさが異なる場合がある。したがって、電力量計用通信装置は、どのような大きさの電力量計に対しても容易に取り付け可能な構造を有する必要がある。
【００１０】
また、電力量計用通信装置は、設置する際にネジ孔を電力量計の一部に設ける等のような電力量計を傷つけたり構造を変えたりする行為が不要なものが望ましく、容易に取り付け可能であるとともに取り付け後は固定されて振動や衝撃等によっても容易に外れない構造が必要である。
【００１１】
さらに、電力量計は、通常、配電用の複数の配電線が接続されていることが多く、取り外すと停電状態となってしまう。したがって、電力量計用通信装置は、設置する際にそれらの配電線を取り外すことなく無停電状態で設置が可能なものが望ましく、また配電線のスペースも確保する必要がある。
【００１２】
本発明は上述した従来技術の問題点を解決するもので、狭く限られたスペースに設置可能であるとともに、既存の電力量計の構造を変えることなく且つ様々な大きさの電力量計に対して適用可能な電力量計用通信装置を提供することを課題とする。
【課題を解決するための手段】
【００１３】
本発明に係る電力量計用通信装置は、上記課題を解決するために、使用電力量を計量する電力量計に接続され、前記電力量計により計量された計量データを外部の上位装置に送信する電力量計用通信装置であって、前記電力量計により計量された計量データを外部に転送する伝送信号入出力部を収納するケースと、前記ケースの一端に取り付けられ、前記電力量計の外周に巻き付けることにより前記ケースを前記電力量計に固定する固定バンドとを備えることを特徴とする。
【発明の効果】
【００１４】
本発明に係る電力量計用通信装置によれば、狭く限られたスペースに設置可能であるとともに、既存の電力量計の構造を変えることなく且つ様々な大きさの電力量計に対して適用することができる。
【図面の簡単な説明】
【００１５】
【図１】本発明の実施例１の形態の電力量計用通信装置を電力量計に取り付けた状態を示す外観斜視図である。
【図２】本発明の実施例１の形態の電力量計用通信装置の分解斜視図である。
【図３】本発明の実施例１の形態の電力量計用通信装置の垂直方向断面図である。
【図４】本発明の実施例１の形態の電力量計用通信装置を計器ボックス内の電力量計に取り付けた状態を示す外観斜視図である。
【図５】本発明の実施例１の形態の電力量計用通信装置を電力量計の側面に取り付けた状態を示す外観斜視図である。
【図６】本発明の実施例２の形態の電力量計用通信装置を電力量計に取り付けた状態を示す部分拡大右側面図である。
【図７】本発明の実施例３の形態の電力量計用通信装置の外観斜視図である。
【図８】本発明の実施例４の形態の電力量計用通信装置を分解した状態を示す外観斜視図である。
【図９】本発明の実施例４の形態の電力量計用通信装置を組み立てた状態を示す外観斜視図である。
【図１０】本発明の実施例５の形態の電力量計用通信装置におけるケースの正面断面図である。
【図１１】本発明の実施例５の形態の電力量計用通信装置の外観斜視図である。
【図１２】従来の電力量計用通信装置の設置状態を示す図である。
【発明を実施するための形態】
【００１６】
以下、本発明の電力量計用通信装置の実施の形態について図面を参照して詳細に説明する。
【実施例１】
【００１７】
図１は、本発明の実施例１の電力量計用通信装置を電力量計１に取り付けた状態を示す外観斜視図である。また、図２は、本発明の実施例１の電力量計用通信装置の分解斜視図である。さらに、図３は、本発明の実施例１の電力量計用通信装置の垂直方向断面図である。図１乃至図３を参照して、本実施例の電力量計用通信装置の構成を説明する。
【００１８】
本実施例の電力量計用通信装置は、使用電力量を計量する電力量計１に通信ケーブル８を介して接続され、電力量計１により計量された計量データを外部の集中管理センタや外部データ読み出し装置等の上位装置に送信する装置である。この電力量計用通信装置は、図１に示すように、通信機能を有する回路を内部に収納した上ケース５及び内ケース６からなるケースと、固定バンド１０とを備えており、固定バンド１０により電力量計１に固定されている。
【００１９】
固定バンド１０は、ケース（上ケース５）の一端に取り付けられ、電力量計１の外周に巻き付けることによりケースを電力量計１に固定する。本実施例において、この固定バンド１０は、前面に突出した電力量計１の表示部カバーの外周に上下方向に巻き付け且つ締め付けることにより、上ケース５及び内ケース６からなるケースを電力量計１に固定している。
【００２０】
また、本実施例の電力量計用通信装置におけるケースは、図２及び図３に示すように、電力量計により計量された計量データを外部に転送するための回路を実装した基板７を収納するものであり、基板７が固定される内ケース２と内ケース２を覆うように収納する上ケース５とから構成される。
【００２１】
基板７及び基板７に実装された回路は、本発明の伝送信号入出力部に対応し、通信端子及び通信ケーブル８を介して電力量計１により計量された計量データを受信するとともに、この計量データを無線または有線により、外部の遠隔地に設置された外部データ読出装置や集中管理センタ等に転送する。基板７は、図３に示すように、内ケース６に嵌め込んで固定され、通信ケーブル８が接続される。基板７と一体化した内ケース６は、上ケース５の内部に収納され固定される。
【００２２】
内ケース６には、基板７に接続された通信ケーブル８を通してケースの下部から外に出すための溝が設けられており、内ケース６を上ケース５内に収納した場合にも通信ケーブル８を傷つけない構造となっている。上ケース５は、内ケース６を覆うように取り付けられる。上ケース５と内ケース６は、上ケース５の背面から内ケース６の背面下端部２ヵ所に設けられた固定用ネジ穴に固定用ネジ９を螺合させることにより、互いに固定される。
【００２３】
次に、上述のように構成された本実施の形態の作用を説明する。本実施例の電力量計用通信装置は、電力量計１が計器ボックス２のような筐体内に設置されている状態において、電力量計１及び配電線を取り外すことなく、無停電状態で電力量計１の正面方向から挿入して設置される。また、設置の際に、設置者は、電力量計１の端子部に通信ケーブル８を接続するとともに、固定バンド１０を前面に突出した電力量計１の表示部カバーの外周に上下方向に巻き付け且つ締め付けることにより、電力量計用通信装置を電力量計１に固定し、外れないようにする。
【００２４】
図４は、本実施例の電力量計用通信装置を計器ボックス２内の電力量計１に取り付けた状態を示す外観斜視図である。図４に示すように、本実施例の電力量計用通信装置は、電力量計１の表示部カバーの下部に密着する形で固定されるため、計器ボックス２内の限られた空きスペースに収納可能である。電力量計１の表示部は、前面に突出した形状のものが多く使用されているため、表示部の下には空き空間が存在する場合が多い。本発明の電力量計用通信装置は、固定バンド１０を利用して電力量計１の表示部の下部に密着させることにより、当該空き空間を活用できる構成としたものである。
【００２５】
また、電力量計１の底部に存在する端子部には、通信ケーブル８の他に配電用の配電線が多く接続されるため、電力量計用通信装置を設置するに際し、当該配電線のスペースを確保する必要がある。この点において、本発明の電力量計用通信装置は、固定バンド１０を利用して電力量計１の表示部の下部に密着させることにより、当該端子部よりも前面に位置することになるため、当該配電線が存在する配線スペースを確保することができる。
【００２６】
図５は、本実施例の電力量計用通信装置を電力量計１の側面に取り付けた状態を示す外観斜視図である。本発明の電力量計用通信装置を設置した後において、配電線作業が必要になった場合に、作業者は、図５に示すように電力量計用通信装置を９０度回転させた状態で電力量計１に設置することができるため、通信ケーブル８を電力量計１から取り外すことなく配電線作業を行うことができる。配電線作業の終了後に、作業者は、再び電力量計用通信装置を９０度回転させて元の状態に戻すことができる。
【００２７】
上述のとおり、本発明の実施例１の形態に係る電力量計用通信装置によれば、狭く限られたスペースに設置可能であるとともに、既存の電力量計１の構造を変えることなく且つ様々な大きさの電力量計に対して適用することができる。
【００２８】
すなわち、本実施例の電力量計用通信装置は、固定バンド１０を利用して電力量計１の表示部の下方に設置することにより、電力量計１とともに計器ボックス２等の筐体内に収納することができるため、従来の電力量計用通信装置に比して余分な設置スペースが不要となるとともに、外観上の美観を向上させることができる。
【００２９】
また、既に計器ボックス２等の筐体内に設置された既存の電力量計１に対して新たに本実施例の電力量計用通信装置を取り付ける際において、設置者は、電力量計１及び配電線を取り外すことなく、無停電状態で電力量計１の正面方向から当該電力量計用通信装置を挿入して設置することができる。したがって、本実施例の電力量計用通信装置は、取り付け作業及び故障や交換時における取り外し作業が容易であり、作業効率が向上するという利点を有する。
【００３０】
さらに本実施例の電力量計用通信装置は、再配電線作業時において、上述したように通信ケーブル８や電力量計用通信装置自身を電力量計１から取り外すことなく配電線作業を行うことができる。
【００３１】
また、本実施例の電力量計用通信装置は、固定バンド１０を電力量計１の外周に巻き付けることにより固定されるため、どのような大きさの電力量計に対しても容易に取り付け可能な構造であり、さらに電力量計１の構造を変えたり傷つけたりする必要が無いという利点を有する。
【００３２】
また、本実施例の電力量計用通信装置は、固定バンド１０を利用して電力量計１の表示部の下部に密着させることにより、当該端子部よりも前面に位置することになるため、電力量計１の端子部に接続された配電線のための配線スペースを確保することができるという利点を有する。
【実施例２】
【００３３】
図６は、本発明の実施例２の電力量計用通信装置を電力量計１に取り付けた状態を示す部分拡大右側面図である。実施例１の電力量計用通信装置と異なる点は、上ケース５の上部にリブ１１が突設されている点である。
【００３４】
リブ１１は、本発明の係止部に対応し、電力量計１の凹凸に係止して固定バンド１０及び自己のケース（上ケース５）を電力量計１に固定させる。具体的には、リブ１１は、図６に示すように、電力量計１と接触する上ケース５の上部で且つ正面から見て奥側に設けられており、電力量計１の表示部カバーのいわゆる顎の部分に引っ掛かる構成となっている。
【００３５】
その他の構成は、実施例１と同様であり、重複した説明を省略する。
【００３６】
次に、上述のように構成された本実施の形態の作用を説明する。設置者は、電力量計１の端子部に通信ケーブル８を接続するとともに、リブ１１を電力量計１の表示部カバーの顎部分に引っ掛かるように当該電力量計用通信装置を電力量計１に密着させた後、固定バンド１０を前面に突出した電力量計１の表示部カバーの外周に上下方向に巻き付け且つ締め付けることにより、電力量計用通信装置を電力量計１に固定し、外れないようにする。
【００３７】
電力量計１の表示部カバーは、種類によってはいわゆるテーパ形状を有するものがあり、前方に向かってわずかに傾斜している場合がある。そのような場合には、設置時に固定バンド１０を締め付けて電力量計用通信装置を固定したとしても、振動や衝撃等により固定バンド１０が少しずつ前面に向かってずれていき、最終的に電力量計用通信装置が外れてしまうという事態も考えられる。
【００３８】
しかしながら、本発明の電力量計用通信装置のケースに設けられたリブ１１は、電力量計１の凹凸に係止して固定バンド１０及び自己のケース（上ケース５）を電力量計１に固定させ、振動や衝撃等によっても前面にずれるのを防止することができる。また、本発明の係止部は、必ずしも図６に示すリブ１１のような構成である必要はなく、電力量計１の凹凸形状に合わせて係止あるいは嵌合することにより当該電力量計用通信装置（ケース）を固定することができればよい。
【００３９】
上述のとおり、本発明の実施例２の形態に係る電力量計用通信装置によれば、実施例１の効果に加え、電力量計１に対して当該電力量計用通信装置（ケース）を固定することができるので、設置後において衝撃や振動等により固定バンド１０がずれたり電力量計用通信装置自身が外れたりするのを防止することができる。
【実施例３】
【００４０】
図７は、本発明の実施例３の形態の電力量計用通信装置の外観斜視図である。実施例２の電力量計用通信装置と異なる点は、固定バンド１０の変形として調整可能バンド１２が利用されている点である。
【００４１】
調整可能バンド１２は、本発明の固定バンドに対応し、電力量計１の外周長に応じて長さ調整を行う調整機構を有する。調整可能バンド１２の調整機構は、例えば図７に示すように、帯状の形状を有する調整可能バンド１２の長さ方向に対して適宜の間隔を有する複数の孔を設けたものであり、電力量計の大きさに応じて適切な孔を選択して長さを調整することができる。
【００４２】
その他の構成は、実施例２と同様であり、重複した説明を省略する。
【００４３】
次に、上述のように構成された本実施の形態の作用を説明する。設置者は、電力量計１の端子部に通信ケーブル８を接続するとともに、調整バンド１２を前面に突出した電力量計１の表示部カバーの外周に上下方向に巻き付け、電力量計１の外周長に応じて適切な孔を選択して締め付けることにより、電力量計用通信装置を電力量計１に固定し、外れないようにする。
【００４４】
上述のとおり、本発明の実施例３の形態に係る電力量計用通信装置によれば、実施例２の効果に加え、どのような大きさの電力量計に対しても容易に取り付けることができる。上述したように、電力量計は、需要家の契約、定格等に応じて大きさが異なる場合があるが、本実施例の電力量計用通信装置は、電力量計１の外周長に応じて長さ調整を行う調整機構を有する調整可能バンド１２を備えているので、様々な大きさの電力量計に対して適切な長さに調整可能バンド１２を調整することにより、容易に取り付けることができるとともに、外れにくくすることができる。
【実施例４】
【００４５】
図８は、本発明の実施例４の電力量計用通信装置を分解した状態を示す外観斜視図である。また、図９は、本発明の実施例４の電力量計用通信装置を組み立てた状態を示す外観斜視図である。実施例３の電力量計用通信装置と異なる点は、ケース１３（上ケース５）とバンド１４とが分離可能な点である。
【００４６】
すなわち、バンド１４は、本発明の固定バンドに対応し、ケース１３に対して着脱自在に連結している。バンド１４とケース１３との連結方法はどのようなものでもよいが、例えば電力量計１と接触する部分に近いケース１３上部の両側面に内部に貫通するバンド挿入口が設けられており、バンド１４をケース１３の一方の側面にあるバンド挿入口からケース１３の内部に通し、ケース１３の他方の側面に設けられたバンド挿入口から出すことにより連結することができる。
【００４７】
その他の構成は、実施例３と同様であり、重複した説明を省略する。
【００４８】
次に、上述のように構成された本実施の形態の作用を説明する。バンド１４とケース１３とが一体となった電力量計用通信装置は、形状的に梱包がしにくいという短所を有し、複数の電力量計用通信装置を運ぶ際にも嵩張ってしまう。しかしながら、本実施例の電力量計用通信装置は、バンド１４とケース１３とに分離可能であるため、生産者や設置者等は、梱包等を行う際において図８に示すような分離された状態で梱包等を行い、その後、需要家において図９に示すような状態に組み立てることができる。
【００４９】
上述のとおり、本発明の実施例４の形態に係る電力量計用通信装置によれば、実施例３の効果に加え、電力量計用通信装置がバンド１４とケース１３とに分離可能であるため、梱包を小さくすることができる。また、設置者等が複数の電力量計用通信装置を持ち歩く場合にも、嵩張らずにコンパクトな形で持ち歩くことができる。
【実施例５】
【００５０】
図１０は、本発明の実施例５の電力量計用通信装置におけるケース１５を正面から見た場合の断面図である。ここで、図１０の左側に示すのは、実施例４で説明したバンド挿入口１６を有するケース１３の断面図である。一方、図１０の右側に示すのは、本実施例の凹凸バンド挿入口１７を有するケース１５の断面図である。また、図１１は、本発明の実施例５の電力量計用通信装置の外観斜視図である。実施例４の電力量計用通信装置と異なる点は、図１０に示すように、ケース１５内のバンド１４を挿入する部分（凹凸バンド挿入口１７を含む）に凹凸形状を設けた点である。
【００５１】
すなわち、ケース１５内のバンド１４を挿入する部分（凹凸バンド挿入口１７を含む）は、本発明の固定バンド挿入部に対応し、固定バンド（バンド１４）を挿入してケース１５に連結させるとともに、内部に滑り防止用の凹凸を有する。
【００５２】
その他の構成は、実施例４と同様であり、重複した説明を省略する。
【００５３】
次に、上述のように構成された本実施の形態の作用を説明する。実施例４の場合と同様に、本実施例の電力量計用通信装置は、バンド１４とケース１３とに分離可能であるため、生産者や設置者等は、梱包等を行う際において分離された状態で梱包等を行い、その後、需要家において図１１に示すような状態に組み立てる。その際に、ケース１５内のバンド１４を挿入する部分（凹凸バンド挿入口１７を含む）が凹凸形状を有しているため、バンド１４を滑りにくくするという役割を果たす。したがって、本実施例の電力量計用通信装置は、設置時やそれ以後において、ケース１５に対してバンド１４が動くのを防止し、ガタツキを軽減する。
【００５４】
上述のとおり、本発明の実施例５の形態に係る電力量計用通信装置によれば、実施例４の効果に加え、ケース１５内のバンド１４を挿入する部分（凹凸バンド挿入口１７を含む）が凹凸形状を有しているため、バンド１４を滑りにくくすることでケース１５に対してバンド１４が動くのを防止し、設置時のガタツキを軽減することができる。
【産業上の利用可能性】
【００５５】
本発明に係る電力量計用通信装置は、集中管理センタ等の上位装置において有線又は無線通信により電力量計の自動検針を行う検針システムに利用可能である。
【符号の説明】
【００５６】
１    電力量計
２    計器ボックス
３    電力量計用通信装置
４    通信ケーブル
５    上ケース
６    内ケース
７    基板
８    通信ケーブル
９    固定用ネジ
１０  固定バンド
１１  リブ
１２  調整可能バンド
１３  ケース
１４  バンド
１５  ケース
１６  バンド挿入口
１７  凹凸バンド挿入口
１８  通信用端子
１９  端子カバー
２０  端子カバー固定用ネジ
【図１】
2010271164.tif 000003
【図２】
2010271164.tif 000004
【図３】
2010271164.tif 000005
【図４】
2010271164.tif 000006
【図５】
2010271164.tif 000007
【図６】
2010271164.tif 000008
【図７】
2010271164.tif 000009
【図８】
2010271164.tif 000010
【図９】
2010271164.tif 000011
【図１０】
2010271164.tif 000012
【図１１】
2010271164.tif 000013
【図１２】
2010271164.tif 000014